(57)【要約】【課題】再生装置のレイアウトや再生装置において再生すべきコンテンツデータを簡易に管理する技術を提供する。【解決手段】通知部５８は、端末装置を設置すべきエリアの地図情報であって、かつ複数の部分エリアによって形成されたエリアの地図情報を端末装置へ通知する。受付部６０は、通知した地図情報上における位置情報であって、かつ端末装置が設置される位置についての位置情報を端末装置から受けつける。特定部６２は、受けつけた位置情報が含まれる部分エリアに関連づけられたグループであって、かつ複数のグループのいずれかのグループを特定する。また、特定部６２は、特定したグループに関連づけられたコンテンツデータであって、かつ複数のコンテンツデータのうちの少なくともひとつのコンテンツデータを特定する。出力部６６は、特定したコンテンツデータを端末装置へ送信する。【選択図】図２
2011076450.tif 000002
【特許請求の範囲】
【請求項１】
端末装置を設置すべきエリアの地図情報であって、かつ複数の部分エリアによって形成されたエリアの地図情報を前記端末装置へ通知する通知部と、
前記通知部において通知した地図情報上における位置情報であって、かつ前記端末装置が設置される位置についての位置情報を前記端末装置から受けつける受付部と、
前記受付部において受けつけた位置情報が含まれる部分エリアに関連づけられたグループであって、かつ複数のグループのいずれかのグループを特定する手段と、特定したグループに関連づけられたコンテンツデータであって、かつ複数のコンテンツデータのうちの少なくともひとつのコンテンツデータを特定する手段とを含む特定部と、
前記特定部において特定したコンテンツデータを前記端末装置へ送信する送信部とを備え、
前記特定部は、複数の部分エリアと、複数のグループと、複数のコンテンツデータとを互いに関連づけたテーブルを記憶することを特徴とするサーバ装置。
【請求項２】
前記特定部は、高さに応じて異なった部分エリアを記憶することを特徴とする請求項１に記載のサーバ装置。
【請求項３】
前記受付部は、前記端末装置から、移動した位置情報を受けつけ、
前記特定部は、前記受付部において受けつけた位置情報をもとに、前記端末装置が含まれる部分エリアおよびグループを更新し、更新したグループに関連づけられたコンテンツデータを特定することを特徴とする請求項１または２に記載のサーバ装置。
【請求項４】
端末装置が設置されたエリアの地図情報であって、かつ複数の部分エリアによって形成されたエリアの地図情報を記憶する記憶部と、
前記記憶部において記憶した地図情報の送信要求を前記端末装置から受信する受信部と、
前記受信部において受信した送信要求に応じて、前記記憶部から地図情報を抽出し、抽出した地図情報を格納することによってパケット信号を生成する生成部と、
前記生成部において生成したパケット信号を前記端末装置へ送信する送信部とを備え、
前記記憶部は、前記端末装置が配置された部分エリアに関する情報も記憶し、
前記生成部は、前記端末装置が配置された部分エリアに関する情報から、前記端末装置が設置された向きを推定し、推定した向きに応じて地図情報を回転させてからパケット信号に格納することを特徴とするサーバ装置。
【発明の詳細な説明】
【技術分野】
【０００１】
本発明は、通信技術に関し、特に再生装置と通信するサーバ装置に関する。
【背景技術】
【０００２】
ネットワークにさまざまな機器が接続されるようになると、機器の設置領域における配置位置を容易に把握できる方が好ましい。そのため、機器の設置領域における配置位置を示した機器レイアウトマップ（機器レイアウト図）が生成される。ここで、機器レイアウト図とは、ネットワークに接続されたプリンタ等の入出力機器の設置領域における配置位置を示したイメージデータである。機器レイアウト図を作成するために、ネットワークに機器レイトアウト管理装置と機器レイアウト編集閲覧装置とが接続される。
【０００３】
機器レイアウト管理装置は、機器レイアウト図を生成して保存し、機器レイアウト編集閲覧装置からの要求により機器レイアウト図を生成したり、機器レイアウト図を機器レイアウト編集閲覧装置に送信したりする。機器レイアウト編集閲覧装置は、機器レイアウト管理装置のクライアントとなり、機器レイアウト管理装置に対して機器レイアウト図の要求を行って、機器アイコンと機器レイアウトデータとを受信する。また、機器レイアウト編集閲覧装置は、受信した機器アイコンと機器レイアウトデータとから、機器レイアウト図上の機器アイコンの移動操作を受けつけ、受けつけた移動操作に基づいて機器アイコンの位置を指定して機器レイアウト図を編集する（例えば、特許文献１参照）。
【先行技術文献】
【特許文献】
【０００４】
【特許文献１】特開２００７−１０９２１３号公報
【発明の概要】
【発明が解決しようとする課題】
【０００５】
デジタル技術を利用した広告媒体のひとつが、デジタルサイネージ（Ｄｉｇｉｔａｌ  Ｓｉｇｎａｇｅ）である。デジタルサイネージでは、表示と通信にデジタル技術を活用して平面ディスプレイなどによって映像や情報を表示する。また、デジタルサイネージでは、デジタル通信によって受信した多数の表示情報を内蔵記憶装置に記憶するので、柔軟な表示内容の切替が可能になり、多様な映像広告が展開される。広告データによる広告効果を向上させるために、店舗等に複数の再生装置を配置し、複数の再生装置のそれぞれにさまざまな広告データを表示させることが有効である。棚に陳列された商品のカテゴリに応じて広告データの内容を変更すると、広告効果がさらに向上する。例えば、肉類が陳列された棚に設置された再生装置では、肉類に関する広告や肉類を使用した料理の広告が表示される。
【０００６】
ひとつの再生装置において再生される広告データは、更新されることがある。また、再生装置が別の棚に移動されることによって、当該再生装置において再生すべき広告データを変更する場合がある。さらに、棚に陳列する商品のカテゴリが変更されることによって、再生装置において再生すべき広告データを変更する場合がある。このように、再生装置の位置、広告データ等が固定であるとは限らないので、複数の再生装置の柔軟な管理が望まれる。つまり、デジタルサイネージのごとく、ネットワークに複数の再生装置が接続される場合であっても、機器レイアウト図による管理が有効である。さらに、再生装置のレイアウトに加えて、広告データ等のコンテンツデータも管理されることが要求される。
【０００７】
本発明はこうした状況に鑑みてなされたものであり、その目的は、再生装置のレイアウトや再生装置において再生すべきコンテンツデータを簡易に管理する技術を提供することにある。
【課題を解決するための手段】
【０００８】
上記課題を解決するために、本発明のある態様のサーバ装置は、端末装置を設置すべきエリアの地図情報であって、かつ複数の部分エリアによって形成されたエリアの地図情報を端末装置へ通知する通知部と、通知部において通知した地図情報上における位置情報であって、かつ端末装置が設置される位置についての位置情報を端末装置から受けつける受付部と、受付部において受けつけた位置情報が含まれる部分エリアに関連づけられたグループであって、かつ複数のグループのいずれかのグループを特定する手段と、特定したグループに関連づけられたコンテンツデータであって、かつ複数のコンテンツデータのうちの少なくともひとつのコンテンツデータを特定する手段とを含む特定部と、特定部において特定したコンテンツデータを端末装置へ送信する送信部とを備える。特定部は、複数の部分エリアと、複数のグループと、複数のコンテンツデータとを互いに関連づけたテーブルを記憶する。
【０００９】
本発明の別の態様もまた、サーバ装置である。この装置は、端末装置が設置されたエリアの地図情報であって、かつ複数の部分エリアによって形成されたエリアの地図情報を記憶する記憶部と、記憶部において記憶した地図情報の送信要求を端末装置から受信する受信部と、受信部において受信した送信要求に応じて、記憶部から地図情報を抽出し、抽出した地図情報を格納することによってパケット信号を生成する生成部と、生成部において生成したパケット信号を端末装置へ送信する送信部とを備える。記憶部は、端末装置が配置された部分エリアに関する情報も記憶し、生成部は、端末装置が配置された部分エリアに関する情報から、端末装置が設置された向きを推定し、推定した向きに応じて地図情報を回転させてからパケット信号に格納する。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、再生装置のレイアウトや再生装置において再生すべきコンテンツデータを簡易に管理できる。
【図面の簡単な説明】
【００１２】
【図１】本発明の実施例に係る再生システムの構成を示す図である。
【図２】図１のサーバ装置の構成を示す図である。
【図３】図２の記憶部に記憶された地図データの構成を示す図である。
【図４】図２の記憶部に記憶されたテーブルのデータ構造を示す図である。
【図５】図２の記憶部に記憶された別のテーブルのデータ構造を示す図である。
【図６】図２の記憶部に記憶されたさらに別のテーブルのデータ構造を示す図である。
【図７】図１の再生装置の構成を示す図である。
【図８】図７の表示部に表示される地図データの構成を示す図である。
【図９】図１の再生システムにおける再生手順を示すシーケンス図である。
【図１０】本発明の変形例に係る表示部に表示されるメニュー画面を示す図である。
【図１１】本発明の変形例に係る記憶部に記憶されたテーブルのデータ構造を示す図である。
【図１２】本発明の変形例に係る表示部に表示される地図データの構成を示す図である。
【図１３】本発明の変形例に係る表示部に表示される地図データの別の構成を示す図である。
【図１４】本発明の変形例に係る表示部に表示される地図データのさらに別の構成を示す図である。
【図１５】本発明の変形例に係る表示部に表示される地図データのさらに別の構成を示す図である。
【図１６】本発明の変形例に係る再生システムにおける再生手順を示すシーケンス図である。
【発明を実施するための形態】
【００１３】
本発明を具体的に説明する前に、概要を述べる。本発明の実施例は、店舗等に設置されたサーバ装置と複数の再生装置によって形成される再生システムに関する。各再生装置は、無線ＬＡＮを介してサーバ装置に接続される。また、各再生装置は、棚に設置されるととともに、棚に陳列された商品のカテゴリと関連したコンテンツデータを再生する。なお、コンテンツデータは、サーバ装置からダウンロードされる。ここで、再生装置の設置位置を移動させる場合、棚に陳列した商品のカテゴリを変更する場合、コンテンツデータを更新した場合等において、サーバ装置は、新たなコンテンツデータを再生装置にダウンロードさせる。その処理を簡易にするためには、再生装置の設置位置を容易に管理できる方が望ましい。これに対応するために、本実施例に係る再生システムは、次の処理を実行する。
【００１４】
サーバ装置は、店舗における棚等のレイアウトが示された地図データ（以下、単に「地図データ」という）を記憶する。地図データでは、各棚の設置位置を特定するために座標が規定されている。サーバ装置は、地図データを再生装置に送信する。再生装置は、地図データを画面に表示し、再生装置を操作している店員が、地図データ上において再生装置を設置した場所を選択する。再生装置は、設置位置に関する情報をサーバ装置に送信する。サーバ装置は、位置とカテゴリとの対応関係と、カテゴリとコンテンツデータとの対応関係とを予め記憶しており、受けつけた設置位置に関する情報からカテゴリを特定するとともに、カテゴリからコンテンツデータを特定する。サーバ装置は、特定したコンテンツデータを再生装置へ送信する。
【００１５】
ここで、再生装置の設置位置を移動させる場合、サーバ装置は、移動した設置位置において上記の処理をすればよい。また、棚に陳列した商品のカテゴリを変更する場合、サーバ装置において、位置とカテゴリとの対応関係が更新されればよい。さらに、コンテンツデータを更新した場合、コンテンツデータを改めて送信するとともに、サーバ装置において、カテゴリとコンテンツデータとの対応関係が更新されればよい。
【００１６】
図１は、本発明の実施例に係る再生システム１００の構成を示す。再生システム１００は、再生装置１０と総称される第１再生装置１０ａ、第２再生装置１０ｂ、第３再生装置１０ｃ、サーバ装置１４を含む。また、再生システム１００は、店舗１８に備えられ、店舗１８には、棚１６と総称される第１棚１６ａ、第２棚１６ｂ、第３棚１６ｃ、第４棚１６ｄ、第５棚１６ｅ、第６棚１６ｆ、第７棚１６ｇ、第８棚１６ｈ、第９棚１６ｉ、第１０棚１６ｊ、第１１棚１６ｋ、第１２棚１６ｌを含む。
【００１７】
店舗１８は、例えば、スーパーマーケットである。サーバ装置１４は、複数のコンテンツデータを記憶する。また、サーバ装置１４は、無線通信機能を有し、記憶した複数のコンテンツデータを複数の再生装置１０へ配信する。なお、サーバ装置１４は、再生装置１０へコンテンツデータをストリーミング配信しているのではなく、複数のコンテンツデータを再生装置１０にダウンロードさせる。なお、コンテンツデータを更新した場合、サーバ装置１４は、コンテンツデータを再生装置１０に再ダウンロードさせる。
【００１８】
各棚１６には、総菜、精肉、鮮魚、野菜等が配置されている。また、各棚１６は、複数の段数にて構成されている。棚１６には、再生装置１０が設置されている。再生装置１０は、無線通信機能を有してサーバ装置１４とも通信可能であるとともに、所定のコンテンツデータを記憶する。ここで、記憶したコンテンツデータは、前述のごとく、サーバ装置１４からダウンロードされているとともに、再生装置１０が配置された棚１６に陳列された商品のカテゴリに関連する。再生装置１０は、コンテンツデータを再生し、再生したコンテンツデータの画像を表示するとともに、再生したコンテンツデータの音声を出力する。
【００１９】
サーバ装置１４は、各再生装置１０の設置位置、各棚１６に陳列された商品のカテゴリ、各カテゴリに対応したコンテンツデータを管理する。これらの情報の内容は、変更されうる。変更に柔軟に対応するために、上記の情報が簡易に作成されたり、簡易に管理されたりすることが要求される。そのため、サーバ装置１４、再生装置１０は、下記の処理を実行する。
【００２０】
図２は、サーバ装置１４の構成を示す。サーバ装置１４は、アンテナ５０、通信部５２、記憶部５４、地図生成部５６、通知部５８、受付部６０、特定部６２、コンテンツ生成部６４、出力部６６、制御部６８を含む。
【００２１】
通信部５２は、アンテナ５０を介して、図示しない再生装置１０との間で無線通信を実行する。通信部５２は、例えば、ＩＥＥＥ８０２．１１等の規格に準拠した無線ＬＡＮ（Ｌｏｃａｌ  Ａｒｅａ  Ｎｅｔｗｏｒｋ）にしたがって、無線通信を実行する。通信部５２は、送信処理として、通知部５８や出力部６６からのデータを受けつけ、データを格納するようにパケット信号を生成する。通信部５２は、生成したパケット信号を変調する。変調方式として、ＢＰＳＫ、ＱＰＳＫ、１６ＱＡＭ、６４ＱＡＭ等が規定される。ここで、変調した結果は、周波数領域のＯＦＤＭ信号に相当する。
【００２２】
通信部５２は、変調した結果に対して、ＩＦＦＴ（Ｉｎｖｅｒｓｅ  Ｆａｓｔ  Ｆｏｕｒｉｅｒ  Ｔｒａｎｓｆｏｒｍ）を実行することによって、周波数領域のＯＦＤＭ信号を時間領域のＯＦＤＭ信号へ変換する。通信部５２は、時間領域のＯＦＤＭ信号に対して周波数変換を実行し、無線周波数のパケット信号を生成する。さらに、通信部５２は、無線周波数のパケット信号をアンテナ５０から送信する。なお、通信部５２には、ＰＡ（Ｐｏｗｅｒ  Ａｍｐｌｉｆｉｅｒ）、ミキサ、Ｄ／Ａ変換部も含まれる。パケット信号の送信は、ＩＥＥＥ８０２．１１等の規格に準拠した無線ＬＡＮと同様に、ＣＳＭＡ／ＣＡと呼ばれるアクセス制御機能にしたがってなされる。
【００２３】
通信部５２は、受信処理として、図示しない再生装置１０から送信されたパケット信号をアンテナ５０にて受信する。通信部５２は、アンテナ５０を介して受信した無線周波数のパケット信号に対して周波数変換を実行し、時間領域のＯＦＤＭ信号を生成する。通信部５２は、時間領域のＯＦＤＭ信号に対してＦＦＴを実行することによって、時間領域のＯＦＤＭ信号を周波数領域のＯＦＤＭ信号へ変換する。周波数領域のＯＦＤＭ信号は、複数のサブキャリア信号にて形成される。通信部５２は、周波数領域のＯＦＤＭ信号を復調する。通信部５２は、復調した結果を地図生成部５６や受付部６０へ出力する。また、通信部５２には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００２４】
記憶部５４は、複数のコンテンツデータを記憶する。記憶部５４は、ハードディスク等の記憶媒体である。記憶部５４に記憶された各コンテンツデータは、例えば、棚１６に配置された品物を広告するための動画像であり、棚１６に陳列された商品のカテゴリごとに作成されている。また、コンテンツデータは、ＭＰＥＧ（Ｍｏｖｉｎｇ  Ｐｉｃｔｕｒｅ  Ｅｘｐｅｒｔｓ  Ｇｒｏｕｐ）等によって圧縮されている。ここでは、動画像そのもの、動画像のデジタルデータを区別せずに、コンテンツデータと呼ぶ。また、記憶部５４は、図１の店舗１８の地図情報、棚１６の設置位置に関する情報（以下、これらをまとめて「地図データ」という）も記憶する。ここで、店舗１８の地図情報は、図１のごとく、複数の棚１６が配置されることによって形成されている。なお、地図データもデジタルデータとして生成されている。
【００２５】
図３は、記憶部５４に記憶された地図データの構成を示す。図１と同様に、店舗１８と棚１６とが示されている。ここで、横軸がｘ軸に相当し、縦軸がｙ軸に相当し、かつｘ軸とｙ軸とが交差している部分が原点に相当するように、座標が規定されている。なお、原点では、ｘとｙとがそれぞれ「０」になっている。図２に戻る。記憶部５４は、図２に示した地図データ上において、各棚１６の設置位置、各棚１６に陳列される商品のカテゴリに関するテーブルも記憶する。
【００２６】
図４は、記憶部５４に記憶されたテーブルのデータ構造を示す。図示のごとく、棚名欄２００、エリア欄２０２、段数欄２０４、カテゴリ欄２０６を含む。棚名欄２００では、図３に示された棚１６の名称が示される。エリア欄２０２には、各棚１６の設置位置が、座標の値として示される。なお、棚１６の底面は、所定の広さを有するので、棚１６の設置位置はエリアとして示される。段数欄２０４とカテゴリ欄２０６では、棚１６の各段に対するカテゴリが示される。カテゴリは、総菜、精肉、鮮魚、野菜等として規定される。ひとつの棚１６において、段ごとにカテゴリが異なっていてもよいし、すべての段でカテゴリが同一であってもよい。このようなテーブルは、複数の棚１６と複数のカテゴリとを互いに対応づけている。図２に戻る。
【００２７】
地図生成部５６は、通信部５２を介して、図示しない再生装置１０から、地図データの送信要求を受けつける。当該再生装置１０は、例えば、棚１６に新たに設置されるものである。地図生成部５６は、送信要求を受けつけると、記憶部５４から地図データを抽出する。前述のごとく、地図データは、再生装置１０を設置すべき店舗１８の地図情報であって、かつ複数の棚１６が配置されたエリアによって形成された店舗１８の地図情報である。地図生成部５６は、通信部５２に地図データを出力することによって、地図データをパケット信号に格納させ、パケット信号を再生装置１０へ端末装置へ通知させる。
【００２８】
受付部６０は、地図データが格納されたパケット信号に対する応答として、地図データ上における位置情報であって、かつ再生装置１０が設置された位置についての位置情報を通信部５２から受けつける。当該位置情報は、地図データにおいて規定された座標軸での座標として示されており、棚１６中の段数に関する情報、再生装置１０を識別するための識別情報も含まれる。このような位置情報は、再生装置１０において表示された地図データに対して、再生装置１０を操作する店員が特定することによって、再生装置１０にて生成される。再生装置１０における位置情報の生成については後述する。また、位置情報が格納されたパケット信号が、再生装置１０から通信部５２へ送信される。受付部６０は、位置情報を特定部６２へ出力する。
【００２９】
特定部６２は、受付部６０からの位置情報を受けつける。なお、前述のごとく、位置情報には、棚１６中の段数に関する情報も含まれている。特定部６２は、受けつけた位置情報をもとにカテゴリを特定する。特定部６２は、カテゴリを特定するために、記憶部５４に記憶された図４のテーブルを参照する。特定部６２は、テーブルのエリア欄２０２、段数欄２０４をもとに、位置情報が含まれる棚１６および段数を特定する。また、特定部６２は、カテゴリ欄２０６をもとに、棚１６の段数に関連づけられたカテゴリであって、かつ複数のカテゴリのいずれかのカテゴリを特定する。さらに、特定部６２は、特定したカテゴリをもとに、コンテンツデータを特定する。そのために、記憶部５４は、カテゴリとコンテンツデータとを互いに対応づけたテーブルも記憶する。
【００３０】
図５は、記憶部５４に記憶された別のテーブルのデータ構造を示す。図示のごとく、カテゴリ欄２０８、コンテンツデータ名欄２１０が含まれる。ここでは説明を明瞭にするために、カテゴリとコンテンツデータとが１対１で関連づけられているが、ひとつのカテゴリに対して複数のコンテンツデータが関連づけられていてもよい。カテゴリに関連づけられたコンテンツデータとは、例えば、当該カテゴリの商品を広告するための動画像データである。図２に戻る。特定部６２は、記憶部５４に記憶された図５のテーブルを参照しながら、特定したグループに関連づけられたコンテンツデータであって、かつ複数のコンテンツデータのうちの少なくともひとつのコンテンツデータを特定する。
【００３１】
記憶部５４は、図４および図５のごとく、複数の棚１６が配置されるエリアと、複数のカテゴリと、複数のコンテンツデータとを互いに関連づけたテーブルを記憶する。さらに、特定部６２は、各再生装置１０の設置位置とカテゴリとの対応関係を記憶部５４に記憶する。図６は、記憶部５４に記憶されたさらに別のテーブルのデータ構造を示す。図示のごとく、再生装置名欄２１２、座標欄２１４、段数欄２１６、エリア欄２１８、カテゴリ欄２２０が含まれる。再生装置名欄２１２、座標欄２１４、段数欄２１６には、再生装置１０の識別情報、位置座標、段数に関する情報がそれぞれ含まれ、これらの情報は再生装置１０からの位置情報に含まれる。エリア欄２１８、カテゴリ欄２２０には、位置情報をもとに特定部６２において特定されたエリア、カテゴリがそれぞれ含まれ、これらの情報は特定部６２において特定される。図２に戻る。
【００３２】
コンテンツ生成部６４は、記憶部５４に記憶した図６のテーブルと図５のテーブルを参照して、特定部６２において特定したコンテンツデータを記憶部５４から抽出する。コンテンツ生成部６４は、通信部５２にコンテンツデータを出力することによって、コンテンツデータをパケット信号に格納させ、パケット信号を再生装置１０へ端末装置へ送信させる。ここで、コンテンツデータが格納されたパケット信号は、ダウンロード送信される。
【００３３】
以上の構成によって、再生装置１０の設置位置が移動になった場合、受付部６０は、再生装置１０から、移動した新たな位置情報を受けつける。特定部６２は、新たな位置情報をもとに、棚１６を再度特定する。特定部６２は、グループを更新し、更新したグループに関連づけられたコンテンツデータを特定する。また、棚に陳列した商品のカテゴリを変更する場合、記憶部５４に記憶された図４のカテゴリ欄２０６が変更され、コンテンツデータを更新した場合、記憶部５４に記憶された図５のコンテンツデータ名欄２１０が更新されればよい。その際、特定部６２は、前述の処理を実行する。制御部６８は、サーバ装置１４全体の動作を制御する。
【００３４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
図７は、再生装置１０の構成を示す。再生装置１０は、アンテナ２０、通信部２２、地図受付部２４、表示部２６、特定部２８、応答部３０、コンテンツ受付部３２、再生部３４、制御部３６、操作部３８を含む。アンテナ２０、通信部２２は、図２におけるアンテナ５０、通信部５２と同様に構成されるので、説明を省略する。
【００３６】
操作部３８は、ボタン、キーボード、マウス等のインターフェイスであり、店員等からの指示を受けつける。操作部３８は、再生装置１０中の所望の構成要素へ、受けつけた指示を出力する。地図受付部２４は、操作部３８からの指示であって、地図データを表示部２６に表示させるための指示（以下、「表示指示」という）を受けつける。地図受付部２４は、通信部２２に表示指示を出力することによって、表示指示をパケット信号に格納させ、パケット信号をサーバ装置１４へ端末装置へ送信させる。また、通信部２２は、表示指示が格納されたパケット信号に対する応答として、サーバ装置１４から、地図データが格納されたパケット信号を受信する。通信部２２は、地図データを地図受付部２４へ出力する。地図受付部２４は、地図データを表示部２６に表示させる。表示部２６は、地図データを表示する。
【００３７】
図８は、表示部２６に表示される地図データの構成を示す。図３と同様に、店舗１８の中に第１棚１６ａから第１２棚１６ｌが配置される。また、地図データとともに、１段目ボタン８０、２段目ボタン８２、３段目ボタン８４、４段目ボタン８６、５段目ボタン８８が配置される。図７に戻る。表示部２６が地図データを表示している際に、操作部３８は、店員等から、本再生装置１０が設置された位置に関する情報を受けつける。具体的に説明すると、図８に示されたようにポインタ９０が表示されている。店員等は、操作部３８を操作して、本再生装置１０が設置された位置にポインタ９０を移動させた後、位置を確定する。ここで、位置は、前述の座標の値として確定される。さらに、店員等は、操作部３８を操作して、１段目ボタン８０から５段目ボタン８８のうち、本再生装置１０が設置された段数を選択する。操作部３８は、位置に関する情報と段数に関する情報とを特定部２８へ出力する。
【００３８】
特定部２８は、操作部３８から、位置に関する情報と段数に関する情報とを受けつけ、これらをもとに、前述の位置情報を生成する。また、特定部２８は、本再生装置１０の識別情報を位置情報に加える。特定部２８は、位置情報を応答部３０へ出力する。応答部３０は、地図データが格納されたパケット信号に対する応答として、位置情報が格納されたパケット信号を通信部２２に送信させる。通信部２２は、応答部３０からの指示にしたがってサーバ装置１４へパケット信号を送信する。
【００３９】
コンテンツ受付部３２は、通信部２２を介して、サーバ装置１４からのコンテンツデータを受けつける。コンテンツ受付部３２は、コンテンツデータを再生部３４に出力する。再生部３４は、コンテンツデータを再生する。なお、表示部２６は、コンテンツデータを記憶するものとする。再生部３４は、再生したコンテンツデータを表示部２６に表示させる。制御部３６は、再生装置１０全体の動作を制御する。
【００４０】
以上の構成による再生システム１００の動作を説明する。図９は、再生システム１００における再生手順を示すシーケンス図である。サーバ装置１４は、地図データを抽出し（Ｓ１０）、再生装置１０へ地図データを送信する（Ｓ１２）。再生装置１０は、地図データを表示する（Ｓ１４）。また、再生装置１０は、設置位置に関する情報を受けつける（Ｓ１６）。再生装置１０は、サーバ装置１４へ位置情報を送信する（Ｓ１８）。サーバ装置１４は、位置情報をもとに棚１６を特定する（Ｓ２０）。また、サーバ装置１４は、カテゴリを特定する（Ｓ２２）。さらに、サーバ装置１４は、コンテンツデータを特定する（Ｓ２４）。サーバ装置１４は、再生装置１０へコンテンツデータを送信する（Ｓ２６）。再生装置１０は、コンテンツデータを再生する（Ｓ２８）。
【００４１】
次に、変形例を説明する。実施例では、再生装置を棚に設置し、設置位置をサーバ装置に登録する場合を説明している。変形例では、設置位置の登録後に、顧客が再生装置を操作する場合を説明する。顧客は、再生装置を操作して、店舗の地図データを表示させる。その際、地図データに、現在の顧客の位置、つまり当該再生装置の設置位置も表示されると、顧客は自らの位置を把握できるので、顧客にとって好ましい。さらに、顧客にとって自らの位置をより明確に把握させやすくするために、変形例に係る再生システムは次の処理を実行する。変形例に係る再生システム１００、サーバ装置１４、再生装置１０は、図１、図２、図７と同様のタイプである。そのため、ここでは実施例との差異を中心に説明する。
【００４２】
図７に示された各再生装置１０の表示部２６には、顧客が閲覧可能な画面についてのメニュー画面が示されてる。図１０は、本発明の変形例に係る表示部２６に表示されるメニュー画面を示す。ここでは、「１．ＣＭ」、「２．現在位置」、「３．牛肉販売位置のお知らせ」、「４．じゃがいも販売位置のお知らせ」、「５．トマト販売位置のお知らせ」が表示される。顧客は、操作部３８を使用して、「１」から「５」のうちのいずれかを選択する。「１」が選択された場合、操作部３８は、再生部３４にその旨を通知する。再生部３４は、前述のコンテンツデータであって、かつ記憶したコンテンツデータを再生し、コンテンツデータを表示部２６に表示する。以下では、「２」が選択された場合の処理を説明し、「３」から「５」が選択された場合の処理の説明は省略する。
【００４３】
「２」が選択された場合、操作部３８は、地図受付部２４にその旨を通知する。地図受付部２４は、地図データの送信要求を通信部２２に出力する。なお、地図データの送信要求には、本再生装置１０を識別するための識別情報が含まれる。通信部２２は、地図データの送信要求が格納されたパケット信号をサーバ装置１４へ送信する。その後、通信部２２は、地図データが格納されたパケット信号をサーバ装置１４から受信する。ここで、地図データが、実施例での地図データとは異なる。これを明らかにするために、以下では、図２に示されたサーバ装置１４の構成を説明する。
【００４４】
記憶部５４は、端末装置が配置される棚１６に関する情報も記憶する。棚１６に関する情報を説明するために、店舗１８の一方向を軸とした場合に、棚１６の陳列面に対する法線と軸とによって形成される角度を想定する。例えば、図３の下方向への直線が軸と定義され、軸から右回転となるような角度が定義される。第２棚１６ｂの陳列面は、図３の上方向を向いている。そのため、第２棚１６ｂの陳列面に対する法線は、図３の上方向への直線となる。この場合の法線と軸とによって形成される角度は、１８０度である。また、第１０棚１６ｊの陳列面は、図３の左方向への直線となる。この場合の法線と軸とによって形成される角度は、９０度である。棚１６に関する情報とは、前述の角度を逆回転させるための角度に相当する。つまり、前者の例では、１８０度であり、後者の例では、２７０度である。そのため、逆回転とは、角度に対する符号を反転させているともいえる。
【００４５】
図１１は、本発明の変形例に係る記憶部５４に記憶されたテーブルのデータ構造を示す。図示のごとく、棚名欄２３０、回転角度欄２３２が含まれる。棚名欄２３０には、各棚１６の名称が示されており、回転角度欄２３２には、各棚１６に対応した回転角度が示されている。回転角度は、前述の棚１６に関する情報に相当する。図２に戻る。地図生成部５６は、通信部５２を介して、再生装置１０からの地図データの送信要求を受けつける。地図生成部５６は、地図データの送信要求に含まれた再生装置１０の識別情報をもとに、記憶部５４に記憶された図６のテーブルを参照することによって、再生装置１０が配置された棚１６を特定する。また、地図生成部５６は、記憶部５４に記憶された図１１のテーブルを参照することによって、棚１６に対応した回転角度を特定する。
【００４６】
地図生成部５６は、送信要求に応じて、記憶部５４から地図情報および回転角度を抽出する。ここで、回転角度は、再生装置１０が設置された向きを推定することに相当する。地図生成部５６は、回転角度に応じて地図情報を回転させる（以下、回転した地図情報も「地図データ」という）。地図生成部５６は、地図データを通知部５８へ出力する。通知部５８は、通信部５２に対して、地図データが格納されたパケット信号を再生装置１０へ送信するように指示する。
【００４７】
図７に示された再生装置１０の説明に戻る。地図受付部２４は、地図データを表示部２６に表示させる。地図データは、再生装置１０が設置された棚１６の陳列面に対する法線と軸との角度を逆回転させた地図情報に相当する。そのため、法線の方向と軸の方向とが一致するような地図データが表示される。図１２は、本発明の変形例に係る表示部２６に表示される地図データの構成を示す。ここでは、本再生装置１０が、第１再生装置１０ａあるいは第２再生装置１０ｂであるとされる。図示のごとく、第７棚１６ｇ、第１０棚１６ｊの陳列面が下方向を向いている。つまり、これらに対する法線の方向は、下方向であり、軸の方向と一致している。
【００４８】
図１３は、本発明の変形例に係る表示部２６に表示される地図データの別の構成を示す。ここでは、本再生装置１０が、第３再生装置１０ｃであるとされる。図示のごとく、第２棚１６ｂの陳列面が下方向を向いている。つまり、これらに対する法線の方向は、下方向であり、軸の方向と一致している。図１２および図１３より明らかなように、棚１６の陳列面の向き、つまり再生装置１０の設置方向にかかわらず、再生装置１０の設置方向が一定の方向を向くように地図データが表示される。図７に戻る。
【００４９】
図１２や図１３に示された地図データが表示されている状況下において、操作部３８は、一部分の表示の拡大についての指示を受けつけてもよい。地図受付部２４は、指示に応じて、一部分を拡大した地図データを表示部２６に表示する。図１４は、本発明の変形例に係る表示部２６に表示される地図データのさらに別の構成を示す。これは、図１２の地図データにおいて、第２再生装置１０ｂの周辺を拡大した場合に相当する。図７に戻る。
【００５０】
各再生装置１０の表示部２６が、図１０に示されたメニュー画面を表示している場合の説明に戻る。顧客が、操作部３８を使用して、「３．牛肉販売位置のお知らせ」、「４．じゃがいも販売位置のお知らせ」、「５．トマト販売位置のお知らせ」のうちのいずれかを選択する。操作部３８は、地図受付部２４に、地図データの送信要求および販売位置の送信要求を通信部２２に出力する。以下では、地図データの送信要求および販売位置の送信要求の組合せも「地図データの送信要求」という。通信部２２は、地図データの送信要求が格納されたパケット信号をサーバ装置１４へ送信する。
【００５１】
図２のサーバ装置１４において、記憶部５４は、各種の商品に対する販売位置も記憶する。地図生成部５６は、地図データの送信要求をもとに、前述のごとく、地図データを生成する。また、地図生成部５６は、記憶部５４から販売位置に関する情報も抽出し、地図データ上に、販売位置が示されたマークを合成する。以下では、販売位置のマークが合成された地図データも「地図データ」という。通知部５８は、通信部５２を介して、地図データが格納されたパケット信号を再生装置１０へ送信する。
【００５２】
図７の通信部２２は、地図データが格納されたパケット信号をサーバ装置１４から受信する。地図受付部２４は、地図データを表示部２６に表示する。図１５は、本発明の変形例に係る表示部２６に表示されるさらに別の地図データの構成を示す。ここでは、図１２と同様に、本再生装置１０が、第１再生装置１０ａあるいは第２再生装置１０ｂであるとされる。第１棚１６ａに目標位置９２が、前述のマークとして表示される。
【００５３】
図１６は、本発明の変形例に係る再生システム１００における再生手順を示すシーケンス図である。再生装置１０は、現在位置表示の指示を受けつける（Ｓ４０）。再生装置１０は、サーバ装置１４へ送信要求を送信する（Ｓ４２）。サーバ装置１４は、再生装置１０が設置された棚１６を特定し（Ｓ４４）、回転角度を特定する（Ｓ４６）。サーバ装置１４は、回転角度によって地図情報を回転させることによって、地図データを生成する（Ｓ４８）。サーバ装置１４は、地図データが格納されたパケット信号を再生装置１０へ送信する（Ｓ５０）。再生装置１０は、地図データを表示する（Ｓ５２）。
【００５４】
本発明の実施例によれば、棚の位置、カテゴリ、コンテンツデータをそれぞれ対応づけたテーブルを記憶し、再生装置から受けつけた位置情報をもとに、コンテンツデータを特定するので、特定処理を簡易に実行できる。また、再生装置に地図データを表示させ、地図データ上において再生装置を設置した位置を特定させることによって、位置情報が生成されるので、店員に対する処理を簡易にできる。また、棚の位置、カテゴリ、コンテンツデータをそれぞれ対応づけたテーブルを記憶するので、再生装置のレイアウトや再生装置において再生すべきコンテンツデータを簡易に管理できる。また、カテゴリ、コンテンツデータが変更される場合でも、テーブルを修正すればよいので、変更に柔軟に対応できる。また、再生装置が移動した場合であっても、テーブルを参照してコンテンツデータを再び特定すればよいので、移動に柔軟に対応できる。位置情報として、棚の段数に関する情報も含めるので、棚の段ごとに商品のカテゴリが異なる場合でも対応できる。
【００５５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５６】
本発明の実施例において、再生装置１０が移動した場合、店員は、最初に設置したときと同様に再生装置１０を操作する。しかしながらこれに限らず例えば、再生装置１０が移動する場合に、店員は、最初に設置したときと異なるように再生装置１０を操作してもよい。再生装置１０には、ジャイロセンサが備えられており、ジャイロセンサによって移動が検出される。移動が検出されると、再生装置１０は、表示指示が格納されたパケット信号をサーバ装置１４へ自動的に送信する。本変形例によれば、再生装置１０が移動した際に、再生装置１０は、地図データを自動的に取得するので、位置情報の更新を忘れることを抑制できる。
【符号の説明】
【００５７】
１０  再生装置、  １４  サーバ装置、  １６  棚、  １８  店舗、  ２０  アンテナ、  ２２  通信部、  ２４  地図受付部、  ２６  表示部、  ２８  特定部、  ３０  応答部、  ３２  コンテンツ受付部、  ３４  再生部、  ３６  制御部、  ３８  操作部、  ５０  アンテナ、  ５２  通信部、  ５４  記憶部、  ５６  地図生成部、  ５８  通知部、  ６０  受付部、  ６２  特定部、  ６４  コンテンツ生成部、  ６６  出力部、  ６８  制御部、  １００  再生システム。
【図１】
2011076450.tif 000003
【図２】
2011076450.tif 000004
【図３】
2011076450.tif 000005
【図４】
2011076450.tif 000006
【図５】
2011076450.tif 000007
【図６】
2011076450.tif 000008
【図７】
2011076450.tif 000009
【図８】
2011076450.tif 000010
【図９】
2011076450.tif 000011
【図１０】
2011076450.tif 000012
【図１１】
2011076450.tif 000013
【図１２】
2011076450.tif 000014
【図１３】
2011076450.tif 000015
【図１４】
2011076450.tif 000016
【図１５】
2011076450.tif 000017
【図１６】
2011076450.tif 000018